(57)【特許請求の範囲】
【請求項１】
テーブルの上方に形成された作業空間を形成する背面板、左側板、右側板、天板及び透明な樹脂により成形された正面板並びに昇降スライド式扉を備え、
上記昇降スライド式扉の左側には左側支柱が配置され、該昇降スライド式扉の右側には右側支柱が配置され、これら左側支柱や右側支柱には、該昇降スライド式扉に線状体を介して連結されてなるとともに該昇降スライド式扉の昇降操作に連動して下降又は上昇するウェイトが配置され、
上記昇降スライド扉の左側には、一端が前記左側支柱に配置されたウェイトに連結された線状体の他端が連結されてなるとともに左側昇降ガイド部材が取り付けられた左側間隔調整具が配置され、昇降スライド扉の右側には、一端が前記右側支柱に配置されたウェイトに連結された線状体の他端が連結されてなるとともに右側昇降ガイド部材が取り付けられた右側間隔調整具が配置され、
前記左側支柱には、上記左側昇降ガイド部材がガイドされる左ガイド部が形成され、前記右側支柱には、上記右側昇降ガイド部材がガイドされる右ガイド部が形成されてなるとともに、
上記左側間隔調整具は、該左側間隔調整具に取り付けられた左側昇降ガイド部材が上記左ガイド部に圧接される方向及びその逆方向に調節可能とされ、
上記右側間隔調整具は、該右側間隔調整具に取り付けられた右側昇降ガイド部材が上記右側ガイド部に圧接される方向及びその逆方向に調節可能とされてなることを特徴とするドラフトチャンバー。
【請求項２】
前記ウェイトの左右両側には、少なくともそれぞれ２つの車輪が転動自在に配置されてなる一方、前記左側支柱及び右側支柱には、これらの左右両側に配置された２つの車輪を該左側支柱及び右側支柱の長さ方向にそれぞれガイドする昇降ガイド部が互いに対向した状態で形成されてなることを特徴とする請求項１記載のドラフトチャンバー。
【請求項３】
前記左側昇降ガイド部材と右側昇降ガイド部材とは、それぞれ軸を中心に回動するとともに外周には凹溝が形成されたガイドホイールであり、
上記左ガイド部と右ガイド部とは、それぞれ上記凹溝に対応した凸条であることを特徴とする請求項１又は２記載の何れかのドラフトチャンバー。
【請求項４】
前記左側支柱と前記左ガイド部である凸条と前記昇降ガイド部とは一体成形されてなるとともに、前記右側支柱と前記右ガイド部である凸条と前記昇降ガイド部とは一体成形されてなることを特徴とする請求項３記載のドラフトチャンバー。
【発明の詳細な説明】
【技術分野】
【０００１】
本発明は、内部で化学実験等を行うことができるとともに、実験中に発生した気体を外部に排気できるように構成されたドラフトチャンバーに関するものである。
【背景技術】
【０００２】
ドラフトチャンバーは、各種の実験機器等を用いながら化学実験等をテーブル上で行うことができるように構成されたものであり、上記テーブル上には、該テーブルの背面から起立してなる背面板と、左右両側の側板（左側板及び右側板）と、上記テーブルの上方に固定された天板と、正面板とにより閉塞された作業空間が形成されており、上記正面板の近傍には、昇降可能とされた昇降スライド式扉が配置されているものが多い（特許文献１，２参照）。すなわち、上記正面板の下端からテーブルまでの間には、開口が形成されており、上記昇降スライド式扉は、この開口を開閉する部材である。したがって、この昇降スライド式扉は、化学実験等の作業を行わない場合には下降させることにより上記開口を閉塞しておき、作業を行う場合には、上昇させることにより上記開口を開放するものである。なお、こうしたドラフトチャンバーを用いた化学実験等は、有害物質を取り扱うことが多いため、上記背面板には排気用のダクトが固定され、昇降スライド式扉を上昇されることにより開口が開放された場合には、この開口から外気が上記作業空間内に流入し、上記ダクトを介して外部に排気されるように構成され、このドラフトチャンバーが設置された室内に有害物質が拡散することが防止できるようにされている。また、このドラフトチャンバーは、有害物質を取り扱った場合、そうした有害物質は、実験等の作業中に作業空間を形成する上記天板や背面板その他の部材の内側面に付着することが多いことから、作業終了後には、天板等の内側面を払拭する作業が伴う。そして、こうした払拭作業においても、上記昇降スライド式扉を上昇させて開口を開放し、この開口から作業者が手や腕を作業空間内に挿入して行う。
【０００３】
また、上記昇降スライド式扉は、作業者が上記開口を開閉操作するものであり、こうした作業者による開閉操作を容易なものとするために、上記昇降スライド式扉には、ワイヤやベルト等を介してウェイト（錘）と連結されている場合が多い。このウェイトの重量は、上記昇降スライド式扉の重量と同じ重量とされ互いのバランスを均衡させることにより、昇降スライド式扉を上昇させる場合には大きな力を使用する必要がなく、逆に下降させる場合には該昇降スライド式扉の自重により落下してしまう危険性を防止している。
【先行技術文献】
【特許文献】
【０００４】
【特許文献１】特開平９−１６４３３９号公報
【特許文献２】特開平１０−３１８５７５号公報
【発明の概要】
【発明が解決しようとする課題】
【０００５】
しかしながら、上述した従来のドラフトチャンバーでは、以下に説明する種々の課題がある。
【０００６】
上記従来のドラフトチャンバーでは、昇降スライド式扉の昇降操作により昇降するウェイトの配置位置が該ドラフトチャンバーの背面側であったり（特許文献２参照）、或いは、左右の側板の背面側であったり（特許文献１参照）することから、それぞれ上記ベルトやワイヤを支持する案内プーリー等を所々に配置しなければならないばかりか、ドラフトチャンバーの奥行（正面板から背面板までの長さ）は多種多様であるところ、上述した従来のドラフトチャンバーではそうした奥行の長さに応じてその都度上記ベルトやワイヤ等の長さを変更しなければならない。
【０００７】
また、これまでのドラフトチャンバーでは、昇降スライド式扉の昇降操作により昇降するウェイトは吊り下げられた状態で昇降する構造とされていることから、該昇降スライド式扉の昇降操作により振動し、近傍の部材に衝突し又はその衝突音が発生する場合がある。
【０００８】
そこで、本発明は、上述した従来のドラフトチャンバーが有する課題を解決するために提案されたものであって、奥行の長さが異なる場合であっても、昇降スライド式扉の昇降操作により連動して昇降動作するウェイトと該昇降スライド式扉とを接続する線状体の長さを変更することが無いとともに、該昇降スライド式扉の昇降操作により振動することがない新規なドラフトチャンバーを提供することを目的とするものである。
【課題を解決するための手段】
【０００９】
本発明は、上記課題を解決するために提案されたものであって、第１の発明（請求項１記載の発明）は、テーブルの上方に形成された作業空間を形成する背面板、左側板、右側板、天板及び透明な樹脂により成形された正面板並びに昇降スライド式扉を備え、上記昇降スライド式扉の左側には左側支柱が配置され、該昇降スライド式扉の右側には右側支柱が配置され、これら左側支柱や右側支柱には、該昇降スライド式扉に線状体を介して連結されてなるとともに該昇降スライド式扉の昇降操作に連動して下降又は上昇するウェイトが配置され、上記昇降スライド扉の左側には、一端が前記左側支柱に配置されたウェイトに連結された線状体の他端が連結されてなるとともに左側昇降ガイド部材が取り付けられた左側間隔調整具が配置され、昇降スライド扉の右側には、一端が前記右側支柱に配置されたウェイトに連結された線状体の他端が連結されてなるとともに右側昇降ガイド部材が取り付けられた右側間隔調整具が配置され、前記左側支柱には、上記左側昇降ガイド部材がガイドされる左ガイド部が形成され、前記右側支柱には、上記右側昇降ガイド部材がガイドされる右ガイド部が形成されてなるとともに、上記左側間隔調整具は、該左側間隔調整具に取り付けられた左側昇降ガイド部材が上記左ガイド部に圧接される方向及びその逆方向に調節可能とされ、上記右側間隔調整具は、該右側間隔調整具に取り付けられた右側昇降ガイド部材が上記右側ガイド部に圧接される方向及びその逆方向に調節可能とされてなることを特徴とするものである。
【００１０】
上記第１の発明に係るドラフトチャンバーでは、ウェイトは上記左側支柱や右側支柱にそれぞれ線状体を介して配置されている。ここで、線状体とは、昇降スライド式扉とウェイトとを接続できるものであれば良く、紐やワイヤは勿論、ベルトも含まれる。そして、上記昇降スライド式扉を上昇操作すると、上記左右のウェイトは下降し、該昇降スライド式扉を下降操作すると、上記左右のウェイトは上昇する。したがって、この第１の発明では、ドラフトチャンバーの奥行が長くなったり短くなったりした場合でも、そうした設計変更に影響を受けないので、昇降スライド式扉やウェイト等、特に線状体の長さは一定寸法のものを量産することができる。
【００１１】
また、この第１の発明では、上記昇降スライド扉の左側には、一端が前記左側支柱に配置されたウェイトに連結された線状体の他端が連結されてなるとともに左側昇降ガイド部材が取り付けられた左側間隔調整具が配置され、昇降スライド扉の右側には、一端が前記右側支柱に配置されたウェイトに連結された線状体の他端が連結されてなるとともに右側昇降ガイド部材が取り付けられた右側間隔調整具が配置され、前記左側支柱には、上記左側昇降ガイド部材がガイドされる左ガイド部が形成され、前記右側支柱には、上記右側昇降ガイド部材がガイドされる右ガイド部が形成されてなるとともに、上記左側間隔調整具は、該左側間隔調整具に取り付けられた左側昇降ガイド部材が上記左ガイド部に圧接される方向及びその逆方向に調節可能とされ、上記右側間隔調整具は、該右側間隔調整具に取り付けられた右側昇降ガイド部材が上記右側ガイド部に圧接される方向及びその逆方向に調節可能とされている。
【００１２】
したがって、この第１の発明では、上記左側昇降ガイド部材又は右側昇降ガイド部材を、上記左側ガイド部又は右側ガイド部に圧接される方向又はその逆方向に調節することにより、昇降ガイド式扉の左右両側が、左側支柱や右側支柱との間の隙間やその隙間に基づくがた付きがない状態で配置されることとなり、極めてスムーズな昇降動作を実現することができる。
【００１３】
また、第２の発明（請求項２記載の発明）は、上記第１の発明において、前記ウェイトの左右両側には、少なくともそれぞれ２つの車輪が転動自在に配置されてなる一方、前記左側支柱及び右側支柱には、これらの左右両側に配置された２つの車輪を該左側支柱及び右側支柱の長さ方向にそれぞれガイドする昇降ガイド部が互いに対向した状態で形成されてなることを特徴とするものである。
【００１４】
この第２の発明によれば、上記ウェイトの左右両側に配置されたそれぞれ２つの車輪は、左側支柱及び右側支柱に互いに対向した状態で形成された昇降ガイド部により、該左側支柱及び右側支柱の長さ方向にガイドされることから、極めてスムーズに昇降移動する。
【００１５】
なお、上記それぞれ２つの車輪には該車輪の回転中心に配置された支軸が存在し、この支軸が上記ガイド部方向に移動可能となされ、該ガイド部に圧接するよう構成されてなるものであっても良い。
【００１６】
また、第３の発明（請求項３記載の発明）は、前記第１又は第２の発明の何れかにおいて、前記左側昇降ガイド部材と右側昇降ガイド部材とは、それぞれ軸を中心に回動するとともに外周には凹溝が形成されたガイドホイールであり、上記左ガイド部と右ガイド部とは、それぞれ上記凹溝に対応した凸条であることを特徴とするものである。
【００１７】
この第３の発明によれば、上記第１の発明と同じように、上記昇降ガイド式扉の昇降動作にがたつきを生じさせることなく極めてスムーズに操作することができる。
【００１８】
また、第４の発明（請求項４記載の発明）は、上記第３の発明において、前記左側支柱と前記左ガイド部である凸条と前記昇降ガイド部とは一体成形されてなるとともに、前記右側支柱と前記右ガイド部である凸条と前記昇降ガイド部とは一体成形されてなることを特徴とするものである。
【発明の効果】
【００１９】
上記第１の発明（請求項１記載の発明）によれば、ドラフトチャンバーの奥行が長くなったり短くなったりした場合でも、そうした設計変更に影響を受けないので、昇降スライド式扉やウェイト等、特に線状体の長さは一定寸法のものを量産することができる。特に、この第１の発明では、上記左側昇降ガイド部材又は右側昇降ガイド部材を、上記左側ガイド部又は右側ガイド部に圧接される方向又はその逆方向に調節することにより、昇降ガイド式扉の左右両側が、左側支柱や右側支柱との間の隙間やその隙間に基づくがた付きがない状態で配置されることとなり、極めてスムーズな昇降動作を実現することができる。
【００２０】
また、第２の発明（請求項２記載の発明）によれば、上記ウェイトの左右両側に配置されたそれぞれ２つの車輪は、左側支柱及び右側支柱に互いに対向した状態で形成された昇降ガイド部により、該左側支柱及び右側支柱の長さ方向にガイドされることから、極めてスムーズに昇降移動する。
【００２１】
また、第３の発明（請求項３記載の発明）によれば、上記第１の発明と同じように、上記昇降ガイド式扉の昇降動作にがたつきを生じさせることなく極めてスムーズに操作することができる。
【００２２】
また、第４の発明（請求項４記載の発明）では、前記左側支柱と前記左ガイド部である凸条と前記昇降ガイド部とは一体成形されてなるとともに、前記右側支柱と前記右ガイド部である凸条と前記昇降ガイド部とは一体成形されてなることから、組立工程も簡易なものとなるばかりか、例えば、正面板や昇降スライド式扉等の位置決めも高精度に行うことができる。
【図面の簡単な説明】
【００２３】
【図１】実施の形態に係るドラフトチャンバーを正面側から示す斜視図である。
【図２】ドラフトチャンバーの正面図である。
【図３】ドラフトチャンバーの右側断面図である。
【図４】右側傾斜支柱に配置されたカバーを外した状態を示す右側面図である。
【図５】間隔調整具から右側ウェイトまでの構成を示す斜視図である。
【図６】ホイールとその周辺の構成を示すものであり、（ａ）はその平面図であり、（ｂ）はその斜視図である。
【図７】間隔調整具を示すものであり、（ａ）はその正面図、（ｂ）はその右側面図、（ｃ）はその斜視図である。
【図８】ストッパと取付片との係合状態を示すのものであり、（ａ）は下降する取付片がストッパ本体よりも上方に存在する状態を示す斜視図、（ｂ）はストッパ本体が取付片の正面を摺接している状態を示す斜視図、（ｃ）は、ストッパ本体により昇降スライド式扉がロックされ上昇操作が不能な状態を示す斜視図である。
【図９】図４に示す状態から跳ね上げ式扉を跳ね上げ操作した後の状態を示す右側断面図である。
【図１０】図４に示す状態から昇降スライド式扉を最も上昇操作させた後の状態を示す右側断面図である。
【図１１】図１１に示す状態から跳ね上げ式扉を跳ね上げた後の状態を示す右側断面図である。
【発明を実施するための形態】
【００２４】
以下、本発明を実施するための最良の形態に係るドラフトチャンバーを、図面を参照しながら詳細に説明する。
【００２５】
この実施の形態に係るドラフトチャンバー１は、図１又は図２に示すように、上面上で化学実験等がされるテーブル２（甲板）２と、このテーブル２上の作業空間ないし閉塞空間（符号は省略する。）を形成する左側板３と、この左側板３に対向してなる右側板４と、背面板５と、天板６と、正面板７とを備えている。なお、上記テーブル２の前端側の左右両側には、ゴム又は軟質樹脂により円柱状に成形された緩衝体８が立設されている。また、上記テーブル２の上面の正面側には、後述する跳ね上げ式扉２５の下端が当接しテーブル２との隙間を埋める隙間閉塞部材９が取り付けられている。また、上記左側板３と右側板４と天板６と正面板７とは、それぞれ透明な樹脂により板状に成形されており、上記左側板３と右側板４及び背面板５は、上記テーブル２の上面に対して鉛直方向に起立している。また、上記天板５は、上記テーブル２と平行とされている。また、上記背面板５には図示しない排気口が二つ形成され、これらの排気口には、それぞれ図示しない排気ダクト１３が固定されている（図３参照）。なお、上記背面板５の正面、すなわち、上記作業空間に面した側には、図示しない開口が多数形成された分散板が該背面板の正面に着脱可能に固定され、作業空間内の空気が上記排気ダクト１３内に均一に吸引されるように構成されている。
【００２６】
そして、上記背面板５の周囲には上側枠部材５ａ、左側枠部材５ｂ、右側枠部材５ｃがそれぞれ固定され、図４に示すように、上記左側板３の上端には、上側枠部材３ａが固定され、背面には図示しない背面側枠部材が固定され、下端には下端側枠部材３ｃが固定され、正面側には正面側枠部材３ｄが固定されている。また、上記右側板４の上端には、図４に示すように、上側枠部材４ａが固定され、背面側には背面側枠部材４ｂが固定され、下端には下端側枠部材４ｃが固定され、正面には正面側枠部材４ｄが固定されている。そして、上記背面板５に固定された左側枠部材５ｂと、左側板３に固定された背面側枠部材とは互いに固定され、右側板４に固定された背面側枠部材４ｂとは互いに固定されている。また、図３に示すように、上記天板６の背面側には背面側枠部材６ａが固定され、左端には左側枠部材６ｂが固定され、右側には右側枠部材６ｃ（図１参照）が固定され、正面側には正面側枠部材６ｄが固定されている。そして、上記天板６に固定された背面側枠部材６ａと背面板５に固定された上側枠部材５ａとが固定され、左側枠部材６ｂは、上記左側板３に固定された上側枠部材３ａに固定されている。また、上記天板６に固定された右側枠部材６ｃと右側板４に固定された上側枠部材４ａとは互いに固定されている。また、図１及び図２に示すように、上記正面板７の上端には上端側枠部材７ａが固定され下端側枠部材７ｂが固定されている。そして、上記正面板７は、上端側が背面側となり下端側が手前側となるように傾斜してなるものであり、左側は該正面板７の傾斜角度と同じ角度で傾斜した左側傾斜支柱１５に接続固定され、右側も正面板７の傾斜角度と同じ角度で傾斜した右側傾斜支柱１６に接続固定されている。そして、上記正面板７に固定された上端側枠部材７ａは、図３に示すように、上記天板６に固定された正面側枠部材６ｄに固定されている。また、上記左側板３に固定された正面側枠部材３ｄは、上記左側傾斜支柱１５に固定され、右側板４に固定された正面側枠部材４ｄは、上記右側傾斜支柱１６に固定されている。なお、上記左側傾斜支柱１５は、本発明を構成する左側支柱であり、上記右側傾斜支柱１６は、本発明を構成する右側支柱であり、それぞれアルミニウムにより押出し成形されてなるものである。
【００２７】
また、上記正面板７の固定位置よりも僅かに正面側には、図３に示すように、該正面板７の傾斜角度と同じ角度で傾斜しているとともに、その傾斜角度を維持した状態で昇降する昇降スライド式扉１８が配置されている。この昇降スライド式扉１８は、上記正面板７、左側板３及び右側板４並びに天板６と同じ透明な樹脂により長方形状に成形されている。そして、上記昇降スライド式扉１８は、扉本体（符号は省略する。）と、この扉本体の上端に固定された上端側枠部材１８ａと、透明の樹脂により長方形状に成形された板体からなる扉本体の下端に固定された下端側枠部材１８ｂと、扉本体の左端に固定された左側枠部材１８ｃと、右端に固定された右側枠部材１８ｄとから構成されている。そして、上記左側枠部材１８ｃと右側枠部材１８ｄとは、それぞれ上記テーブル２上に固定された上記隙間閉塞部材９の上面位置まで延長されている。そして、図１又は図２に示すように、上記左側枠部材１８ｃの右側には、一方の扉受け片１８ｅが形成され、右側枠部材１８ｄの左側には他方の扉受け片１８ｆが形成されている。なお、上記左側枠部材１８ｃの下端側中途部には、後述するストッパ本体６３に係合する係合片２３が固定されている（図１参照）。この係合片２３は、図８に示すように、やや手前側に厚みを有する板体であり、下面には背面側から正面側にかけて徐々に上昇するとともに、後述するストッパ本体６３が摺接する一方の摺接面２３ａが形成されている。また、この係合片２８の上面は、後述するストッパ本体６３と係合する係合面２３ｂが形成されている。
【００２８】
そして、上記昇降スライド式扉１８の扉本体の下方には、跳ね上げ式扉２５が配置されている。この跳ね上げ式扉２５は、透明の樹脂により長方形状に成形された板体からなる扉本体（符号は省略する。）と、この扉本体の上端に固定された上端側枠部材２５ａと、上記扉本体の下端に固定された保護部材２５ｂとから構成されている。そして、図２に示すように、上記昇降スライド式扉１８を構成する下端側枠部材１８ｂと、上記上端側枠部材２５ａとは、該跳ね上げ式扉２５が手前に回動可能となるように三つの蝶番２６により連結されている。また、この跳ね上げ式扉２５の正面の下端側の左右両側には、該跳ね上げ式扉２５を手前に回動操作する際に作業者が把持する操作用摘まみ２７がそれぞれ固定されている。また、上記跳ね上げ式扉２５は、図１に示すように回動操作されず、図２に示すように、上記昇降スライド式扉１８の傾斜角度と同じ角度で位置している場合には、上記左側枠部材１８ｃや右側枠部材１８ｄの正面と平行とされている。
【００２９】
そして、図２に示すように、上述した昇降スライド式扉１８を構成する左側枠部材１８ｃの左側は、上記左側傾斜支柱１５内に挿入され、昇降スライド式扉１８を構成する右側枠部材１８ｄの右側は、上記右側傾斜支柱１６内に挿入されている。これら左側傾斜支柱１５と右側傾斜支柱１６は、後述するストッパ６０の有無を除き、左右対称に構成されてなるものであり、図１に示すように、左側傾斜支柱１５の右側には、上記昇降スライド式扉１８を構成する左側枠部材１８ｃの左側がガイドされるガイド溝が形成された左ガイド部材２９が配置され、右側傾斜支柱１６の左側には、該昇降スライド式扉１８を構成する右側枠部材１８ｄの右側がガイドされるガイド溝が形成された右ガイド部材３０が配置されている。
【００３０】
そして、この実施の形態に係るドラフトチャンバー１では、上記昇降スライド式扉１８は、左側ウェイト及び右側ウェイトにそれぞれ線状体であるワイヤを介して接続され、後述するように、（上記跳ね上げ式扉２５が連結された）昇降スライド式扉１８を上昇操作や下降操作することにより、上記左側ウェイト及び右ウェイトがそれぞれ下降移動し又は上昇移動するように構成されている。そして、上記左側ウェイトその他の部材は、上記左側傾斜支柱１５内に配置され、上記右側ウェイトその他の部材は、上記右側傾斜支柱１６内に配置されている。そして、上記昇降スライド式扉１８の左側に配置された左側傾斜支柱１５と、昇降スライド式扉１８の右側に配置された右側傾斜支柱１６及びこれらの内部は、左右対称に構成されている。そこで、以下、右側傾斜支柱１６の内部構成を説明する。
【００３１】
図５は、右側傾斜支柱１６に内部に配置された上記右側ウェイト３２等を示すものであり、該右側ウェイト３２には、上端に上部取付板３２ａが固定され、下側には下部取付板３２ｂが固定されている。そして、上記上部取付板３２ａの一端には第１の車輪３３が転動自在に配置され、該上部取付板３２ａの他端には第２の車輪３４が転動自在に配置され
ている。また、上記下部取付板３２ｂの一端には第３の車輪３５が転動自在に配置され、上記下部取付板３２ｂの他端には第４の車輪３６が転動自在に配置されている。そして、上記右側ウェイト３２が配置された上記右側傾斜支柱１６内には、上記第１及び第３の車輪３３，３５をこの右側傾斜支柱１６の長さ方向にガイドする一方のガイドレール１６ａと、上記第２及び第４の車輪３４，３６を、この右側傾斜支柱１６の長さ方向にガイドするとともの上記一方のガイドレール１６ａと平行となされた他方のガイレール１６ｂとが形成されている。したがって、上記右側ウェイト３２の昇降移動は、上記一方及び他方のガイドレール１６ａ，１６ｂによりそれぞれガイドされながら位置決めされた状態でなされる。また、上部取付板３２ａの中央には、一方の接続片３２ｃが形成され、この一方の接続片３２ｃには、上記ワイヤ（線状体）３８の一端側が固定されている。
【００３２】
また、上記右側傾斜支柱１６内であって、該右側傾斜支柱１６の上端側には、図５に示すように、滑車４３が取り付けられている。この滑車４３は、図６に示すように、上記右側傾斜支柱１６に対して、ボルト４４とナット４５とにより回動自在に固定されてなるものである。なお、上記滑車４３と右側傾斜支柱１６との間には、スペーサ４６が配置されている。また、上記滑車４３は、円盤状に成形され外周には上記ワイヤ３８が約半周に亘って巻回される溝部４３ａが形成され、中央には上記ボルト４４の軸部（符号は省略する。）が挿通された図示しない貫通穴が形成されている。
【００３３】
そして、この実施の形態に係るドラフトチャンバー１では、上記昇降スライド式扉１８を構成する左側枠部材１８ｃの下端側の左側と、上記右側枠部材１８ｄの下端側の右側には、図１に示すように、それぞれ（左側ないし右側）間隔調整具５０が固定されている。これらの間隔調整具５０は、左右対称の状態で配置されてなるものである。そこで、以下、上記右側枠部材１８ｄに固定された間隔調整具５０について説明する。この間隔調整具５０は、図５又は図７に示すように、上記右側枠部材１８ｄに固定された金具５１と、この金具５１の上端側中途部に固定された支軸５２を中心に回動可能に配置された回動金具５３と、この回動金具５３に固定された固定軸５４を中心に回動するガイドホイール５５とを備えている。なお、このガイドホイール５５は、本発明を構成する左側昇降ガイド部材又は右側昇降ガイド部材である。
【００３４】
上記金具５１は、図７に示すように、上記右側枠部材１８ｄの正面と平行に位置する主板部５１ａを有し、この主板部５１ａの上端には、該主板部５１ａの上端からＬ字状に折曲された上部折曲片５１ｂが形成され、この上部折曲片５１ｂには上記ワイヤ３８の他端側が固定されている。また、上記主板部５１ａの下端には、該主板部５１ａの下端からＬ字状に折曲され上記上部折曲片５１ｂと対向する下部折曲片５１ｄが形成されている。この下部折曲片５１ｄは、上記昇降スライド式扉１８を最も下降させた際に、その下面が上記テーブル２の上面に固定した円盤状の緩衝体８（図１参照）に当接する部位である。また、上記主板部５１ａには、後述するように、上記回動金具５３の回動操作に伴って移動する上記固定軸５４の移動範囲をカバーする円形状の開口５１ｅが開設されている。また、上記主板部５１ａには、上記下部折曲片５１ｄの近傍に中間折曲片５１ｆが形成されている。そして、この中間折曲片５１ｆの中心には図示しないネジ穴が形成され、このネジ穴には、調節ネジ５７が螺着されている（図７の（ｂ）及び（ｃ）参照）。
【００３５】
また、上記回動金具５３には、上記回動軸５４が固定され、また、この回動軸５４が固定された部位よりも下方には、上記支軸５２を中心として円弧状に形成された長孔５３ａが形成されている（図７の（ａ）参照）。そして、この長孔５３ａ内には、先端が上記主板部５１ａに螺着されたネジ５８の軸部（符号は省略する。）が挿通されている。また、上記回動金具５３には、先端側が上記ガイドホイール５５の配置側に折曲されてなる当接片５３ｂが形成され、この当接片５３ｂには、上記調節ネジ５７の先端が当接している。
【００３６】
また、上記ガイドホイール５５は、樹脂により円盤状に一体成形されてなるとともに、外周には前記右側傾斜支柱１６に形成された直線状の凸条１６ｃ（図５参照）に対応した凹溝５５ａが形成されている。なお、上記ガイドホール５５は、本発明（請求項１記載の発明）を構成する右側昇降ガイド部材であり、上記凸条１６ｃは、本発明（請求項１記載の発明）を構成する右ガイド部である。
【００３７】
したがって、上記調節ネジ５７を螺進させると、上記回動金具５３やこの回動金具５３に固定軸５４を介して固定された上記ガイドホイール５５は、上記支軸５２を中心に、図７の（ａ）中において、上記長孔５３ａの長さの範囲内において、反時計回り方向に回転する。すなわち、上記調節ネジ５７を螺進操作は、前記右側傾斜支柱１６に形成された上記凸条１６ｃに対して上記ガイドホイール５５を押圧（接近）させる操作であり、逆に、上記調節ネジ５７の螺退操作は、上記凸条１６ｃから上記ガイドホイール５５を離間させる操作である。なお、先に説明したように、上記間隔調整具５０は、上記昇降スライド式扉１８の左端に固定された左側枠部材１８ｃの下端側の左側にも取り付けられ、上記調節ネジ５７を螺進操作することにより、前記左側傾斜支柱１５に形成された凸条１５ｃ（図８の（ａ）参照）に対して上記ガイドホイール５５が接近し、螺退操作することにより該凸条１５ａに対して上記ガイドホイール５５が離間するように構成されている。すなわち、この実施の形態に係るドラフトチャンバー１では、上記それぞれの調節ネジ５７を螺進させることにより、上記各ガイドホイール５５を上記左側傾斜支柱１５及び右側傾斜支柱１６にそれぞれ形成された凸条１５ｃ，１６ｃに密着させ、昇降スライド式扉１８の昇降動作にがたつきがないようにし、より具体的には、例えば、作業者が上記跳ね上げ式扉２５の下端の右側や左側などを支持して上昇操作した場合であっても、確実に上昇するようにされている。なお、このように、上記跳ね上げ式扉２５が支持されて該跳ね上げ式扉２５と昇降スライド式扉１８とが上昇操作された場合、或いは、後述するように、跳ね上げ式扉２５が回動され昇降スライド式扉１８の下端が作業者のより支持された状態で上昇操作されると、上記左側ウェイト及び右側ウェイト３２は、作業者による上昇長さと同じ長さ上記右側傾斜支柱１６や左側傾斜支柱１５にそれぞれ形成されたスライドレール１６ａ，１６ｂに上記ガイド車輪３３・・・３６がガイドされながら下降する。なお、上記凸条１５ａは、本発明を構成する第２のガイド部であり、右側傾斜支柱１６にも、こうした第２のガイド部としての凸条が形成されている。
【００３８】
また、図１、図２又は図３に示すように、上記左側傾斜支柱１５の下端側中途部には、ストッパ６０が取り付けられている。このストッパ６０は、図８に示すように、上記左側傾斜支柱１５に基端側が固定された取付片６１と、この取付片６１に固定された支軸６２と、この支軸６２を中心に回動するストッパ本体６３と、このストッパ本体６３が、上記昇降スライド式扉１８の左端に固定された左側枠部材１８ｃの下方の正面側に回動するように常に付勢してなる弾性材６４と、を備えている。上記取付片６１は、上記左側傾斜支柱１５の正面に固定された固定板部６１ａと、この固定板部６１ａから正面側に起立してなる起立板部６１ｂと、この起立板部６１ｂの前端から右側傾斜支柱１６側に延長されてなる延在板部６１ｃとからなり、上記起立板部６１ｂには、開口（符号は省略する。）が形成されている。そして、上記支軸６２を中心に回動するストッパ本体６３は、上記開口に挿通されている。このストッパ本体６３は、先に説明した係合片２３の下面に形成された一方の摺接面２３ａに摺接する他方の摺接面６３ａを一端側に備え、下面（符号は省略する。）は、上記係合片２３の上面である係合面２３ｂに係合する面とされている。また、このストッパ本体６３の他端側は、以下に説明するように作業者が指で操作する操作部６３ｃとされている。すなわち、図８の（ａ）に示すように、上昇操作された昇降スライド式扉１８が作業者により下降操作されると、やがて左側枠部材１８ｃに固定された上記係合片２３に形成された一方の摺接面２３ａと上記ストッパ本体６３に形成された他方の摺接面６３ａとが互いに摺接するとともに上記ストッパ本体６３は上記弾性材７４の弾性力に抗して徐々に上記左側枠部材１８ｃの正面から離間する方向に回動させられ、やがて、図８の（ｂ）に示すように、上記係合片２３の正面に至り、この係合片２３の正面を摺接しながら係合片２３の正面の上端に至ると、図８の（ｃ）に示すように、上記弾性材６４の弾性力により再び回動させられ左側枠部材１８ｃの上面に当接する。このように、上記弾性材６４の弾性力により再び回動させられ左側枠部材１８ｃの上面に当接した状態は、図２又は図４に示すように、昇降スライド式扉１８が最も下降した状態であり、後述するように、跳ね上げ式扉２５が降りている状態においては、上記正面板７の下方は完全に閉塞された状態である。したがって、こうした状態において、作業者が上記操作用摘まみ２７を把持しながら昇降スライド式扉１８及び跳ね上げ式扉２５全体を上昇操作しても、図８の（ｃ）に示すように、上記ストッパ本体６３の下面に、上記係合片２３の上面である係合面２３ｂが衝突（係合）し、操作不能となる。
【００３９】
以下、このように構成された本実施の形態に係るドラフトチャンバー１の操作方法を説明しながら、作用効果を説明する。
【００４０】
先ず、図２に示すように、前述した昇降スライド式扉１８と跳ね上げ式扉２５とによりこのドラフトチャンバー１の正面側が閉塞した状態から説明する。この状態においては、上述したように、上記ストッパ６０を構成するストッパ本体６３の一端側は上記係合片２３の上面に位置し（図８の（ｃ）参照）ロックされていることから、跳ね上げ式扉２５を上昇させることはできない。しかし、この実施の形態に係るドラフトチャンバー１では、このように昇降スライド式扉１８を上昇操作できない状態であっても、上記各操作用摘まみ２７を把持しながら、跳ね上げ式扉２５を跳ね上げ操作（下端側が上方に位置するように回動操作）し、図１に示すように、昇降スライド式扉１８の下方を開放することができる。そして、このドラフトチャンバー１では、上記正面板７及び昇降スライド式扉１８は、前述したように、同じ角度で傾斜しているとともに、昇降スライド式扉１８は正面板７の配置位置よりも手前側に位置していることから、該跳ね上げ式扉２５を、図９に示すように、上記昇降スライド式扉１８に持たせ掛けることができ、跳ね上げた状態を自重で維持させることができる。このように、跳ね上げ式扉２５を跳ね上げてその状態を維持させると、上記昇降スライド式扉１８の下側には、開口が形成されることから、上記作業空間内で実験作業を行うことができるとともに、昇降スライド式扉１８の背面に付着した有害物質を払拭することもできる。
【００４１】
或いは、図２又は図３に示す状態から、上述したように、跳ね上げ式扉２５を操作することなく、上記ストッパ本体６３の他端側に形成された上記操作部６３ｃを、上記弾性材６４の弾性力に抗してこのドラフトチャンバー１の背面側に押圧させ、該ストッパ本体６３によるロック状態を解除させるとともに、上記各操作用摘まみ２７を把持しながら、上昇操作すると、該跳ね上げ式扉２５と昇降スライド式扉１８とが一体的に上昇する。このとき、上記左側傾斜支柱１５及び右側傾斜支柱１６内にそれぞれ配置された左側ウェイト及び右側ウェイト３２は、該昇降スライド式扉１８の上昇長さと同じ長さ下降する。また、このように上昇する昇降スライド式扉１８は、上記正面板７の正面と対向する位置に上昇し、左側傾斜支柱１５と右側傾斜支柱１６の上面に形成された天板１５ｄ、１６ｄ（図１参照）の下面に当接する。このとき、上記昇降スライド式扉１８は、正面板７の上端よりも上昇することなく、したがって、昇降スライド式扉１８の背面に有害物質が付着している場合であってもこのドラフトチャンバー１の外部に露出することがない。そして、図１０に示すように、跳ね上げ式扉２５と昇降スライド式扉１８が一体的に上昇することにより、該跳ね上げ式扉２５の下方には、開口が形成されることから、上述したように、作業者はこの開口から手や腕を挿入し化学実験等を行うことができるとともに、該跳ね上げ式扉２５の背面に付着した有害物質等を払拭することができる。
【００４２】
さらにまた、このドラフトチャンバー１では、図９に示す状態から昇降スライド式扉１８を跳ね上げ式扉２５と一体的に上昇操作し、或いは、図１０に示す状態から、跳ね上げ式扉２５を跳ね上げると、図１１に示すように、正面板７の正面側に昇降スライド式扉２５が位置し、この昇降スライド式扉１８の正面側に跳ね上げ式扉２５が位置することとなり、該正面板７の下方は、昇降スライド式扉１８と跳ね上げ式扉２５とを合計した面積に等しい大きな開口が形成される。したがって、作業者は、こうした大きな開口を利用して、正面板７の背面や、天板６の下面、左側板３及び右側板４のそれぞれの内側面、さらには背面板５の正面をそれぞれ掃除することができ、それぞれに付着した有害物質等を簡単に払拭することができる。
【００４３】
したがって、この実施の形態に係るドラフトチャンバー１によれば、人体に極めて有害な物質を上記作業空間で扱っても、該ドラフトチャンバー１の内部を綺麗に清掃することができ、またこのドラフトチャンバー１の外側に有害物質を拡散させてしまう危険性を回避することができる。
【００４４】
また、この実施の形態に係るドラフトチャンバー１では、左側ウェイトと右側ウェイト３２が配置され、これらと、昇降スライド式扉１８と跳ね上げ式扉２５とを合算した荷重とのバランスがとられていることから、昇降スライド式扉１８を任意の位置にてその状態を保持させることができる。特に、この実施の形態に係るドラフトチャンバー１では、こうした左側ウェイトや右側ウェイト３２は、該昇降スライド式扉１８の昇降動作をガイドする左側傾斜支柱１５や右側傾斜支柱１６に配置されており、左側板３や右側板４或いは背面板５に配置されているものではないことから、このドラフトチャンバー１の奥行等の長さを変更する場合であっても、ワイヤ３８等の線状体の長さを変更する必要性がない。
【００４５】
また、前述したように、こうした左側ウェイトや右側ウェイト３２とのバランスの中で昇降操作される昇降スライド式扉１８の左右両側には、前述した間隔調整具５０が取り付けられ、これらの間隔調整具５０を構成する調節ネジ５７を螺進させることにより、上記各ガイドホイール５５を上記左側傾斜支柱１５や右側傾斜支柱１６にそれぞれ形成された凸条１５ｃ，１６ｃに密着させ、昇降スライド式扉１８の昇降動作にがたつきを生じさせることなく極めてスムーズに操作することができる。
【符号の説明】
【００４６】
１  ドラフトチャンバー
２  テーブル
３  左側板
４  右側板
５  背面側板
６  天板
７  正面板
１５  左側傾斜支柱
１５ｃ  凸条
１６ａ  一方のガイドレール
１６ｂ  他方のガイドレール
１６  右側傾斜支柱
１６ｃ  凸条
１８  昇降スライド式扉
３２  右側ウェイト
３３  第１の車輪
３４  第２の車輪
３５  第３の車輪
３６  第４の車輪
３８  ワイヤ
５０  間隔調整具
【図１】
0005932450.tif 000002
【図２】
0005932450.tif 000003
【図３】
0005932450.tif 000004
【図４】
0005932450.tif 000005
【図５】
0005932450.tif 000006
【図６】
0005932450.tif 000007
【図７】
0005932450.tif 000008
【図８】
0005932450.tif 000009
【図９】
0005932450.tif 000010
【図１０】
0005932450.tif 000011
【図１１】
0005932450.tif 000012